(57)【要約】    【課題】ショット投射装置1におけるインペラ2内装のケーシング3とショット回収ケース機構4とを概略Ｖ字状に接合して台車5に装着し、ショット回収ケース機構4のショット排出口とショット投射装置1のショット供給口との間に、ショットと粉塵とを相互に分離する分離機構を付設したショット貯蔵タンク6を配設して、垂直状の研掃面上を移動させかつ投射したショットを回収しながら研掃面を処理するようにした移動式ショットブラスト設備によって垂直状の研掃面を研掃する際、研掃面の下方部分には比較的高い高さで研掃処理することが不可能な箇所が生じる。    【解決手段】ショット貯蔵タンク6内のショットがショット供給口に向かって滑降するようにショット貯蔵タンク6の少なくとも一つ以上の壁面が水平面に対して角度８０度以上傾斜する範囲内で、ケーシングとショット回収ケース機構と台車とで成る移動式ショットブラスト本体7を傾斜させたことを特徴とする。【選択図】  図  １
2006116659.tif 000002
【特許請求の範囲】
【請求項１】
ショット投射装置におけるインペラ内装のケーシングとショット回収ケース機構とを概略Ｖ字状に接合して台車に装着し、前記ショット回収ケース機構のショット排出口と前記ショット投射装置のショット供給口との間に、ショットと粉塵とを相互に分離する分離機構を付設したショット貯蔵タンクを配設して、垂直状の研掃面上を移動させかつ投射したショットを回収しながら当該研掃面を研掃するようにした移動式ショットブラスト設備において、
前記ショット貯蔵タンク内のショットが前記ショット供給口に向かって滑降するように前記ショット貯蔵タンクの少なくとも一つ以上の壁面が水平面に対して角度８０度以上傾斜する範囲内で、前記ケーシングと前記ショット回収ケース機構と前記台車とで成る移動式ショットブラスト本体を傾斜させたことを特徴とする移動式ショットブラスト設備。
【請求項２】
請求項１に記載の移動式ショットブラスト設備において、
前記移動式ショットブラスト本体を一箇所で懸吊するフックを係合させる係止部材を前記移動式ショットブラスト本体に１個以上設けて前記移動式ショットブラスト本体を水平面に対して所要角度傾斜させた状態で前記フックによって懸吊したことを特徴とする移動式ショットブラスト設備。
【請求項３】
請求項１に記載の移動式ショットブラスト設備において、
床面上を走行可能な走行台車に、前記移動式ショットブラスト本体を水平面に対して所要角度傾斜させた状態で搭載したことを特徴とする移動式ショットブラスト設備。
【発明の詳細な説明】
【技術分野】
【０００１】
本発明は、移動式ショットブラスト設備の改良に関する。      
【背景技術】
【０００２】
従来、移動式ショットブラスト設備の一つとして、ショット投射装置におけるインペラ内装のケーシングとショット回収ケース機構とを概略Ｖ字状に接合して走行車に装着し、前記ショット回収ケース機構のショット排出口と前記ショット投射装置のショット供給口との間に、ショットと粉塵とを相互に分離する分離機構を付設したショット貯蔵タンクを配設して、垂直状の研掃面上を移動させかつ投射したショットを回収しながら当該研掃面を研掃するようにしたものがある。    
【０００３】
しかし、このように構成された従来の移動式ショットブラスト設備では、特に垂直状の研掃面を研掃する場合にショット投射装置の下端部分が床面に当接するため、走行車を所定寸法以上は下降させることができず、その結果、当該研掃面の下方部分に比較的高い高さで研掃不可能な箇所が生じるなどの問題があった。
【特許文献１】特許番号  特許第２７７００８９ 号
【発明の開示】
【発明が解決しようとする課題】
【０００４】
解決しようとする問題点は、移動式ショットブラスト設備によって垂直状の研掃面を研掃する際、当該研掃面の下方部分に比較的高い高さで研掃不可能な箇所が生じる点である。      
【課題を解決するための手段】
【０００５】
上記の問題を解消するために本発明の移動式ショットブラスト設備は、ショット投射装置におけるインペラ内装のケーシングとショット回収ケース機構とを概略Ｖ字状に接合して台車に装着し、前記ショット回収ケース機構のショット排出口と前記ショット投射装置のショット供給口との間に、ショットと粉塵とを相互に分離する分離機構を付設したショット貯蔵タンクを配設して、垂直状の研掃面上を移動させかつ投射したショットを回収しながら当該研掃面を研掃するようにした移動式ショットブラスト設備において、前記ショット貯蔵タンク内のショットが前記ショット供給口に向かって滑降するように前記ショット貯蔵タンクの少なくとも一つ以上の壁面が水平面に対して角度８０度以上傾斜する範囲内で、前記ケーシングと前記ショット回収ケース機構と前記台車とで成る移動式ショットブラスト本体を傾斜させたことを特徴とする。
【０００６】
このように構成されたものは、ショット貯蔵タンク内のショットがショット供給口に向かって滑降するようにショット貯蔵タンクの少なくとも一つ以上の壁面が水平面に対して角度８０度以上傾斜する範囲内で移動式ショットブラスト本体を傾斜させて当該移動式ショットブラスト本体を水平方向へ移動させ、垂直状の研掃面を研掃する。
【発明の効果】
【０００７】
以上の説明から明らかなように本発明は、ショット投射装置におけるインペラ内装のケーシングとショット回収ケース機構とを概略Ｖ字状に接合して台車に装着し、前記ショット回収ケース機構のショット排出口と前記ショット投射装置のショット供給口との間に、ショットと粉塵とを相互に分離する分離機構を付設したショット貯蔵タンクを配設して、垂直状の研掃面上を移動させかつ投射したショットを回収しながら当該研掃面を研掃するようにした移動式ショットブラスト設備において、前記ショット貯蔵タンク内のショットが前記ショット供給口に向かって滑降するように前記ショット貯蔵タンクの少なくとも一つ以上の壁面が水平面に対して角度８０度以上傾斜する範囲内で、前記ケーシングと前記ショット回収ケース機構と前記台車とで成る移動式ショットブラスト本体を傾斜させたから、研掃不可能な垂直状の研掃面の高さを可及的に低くすることが可能になるなどの優れた実用的効果を奏する。
【発明を実施するための最良の形態】
【０００８】
以下、本発明を適用した移動式ショットブラスト設備の最良の形態について図１および図２に基づき詳細に説明する。本移動式ショットブラスト設備においては、ショット投射装置1におけるインペラ2内装のケーシング3とショット回収ケース機構4とが概略Ｖ字状に接合して台車5に装着してあり、前記ショット回収ケース機構4のショット排出口と前記ショット投射装置1のショット供給口との間には、ショットと粉塵とを相互に分離する分離機構(図示せず)を付設したショット貯蔵タンク6が配設してあり、前記分離機構には図示しない集塵機が可撓性導管(図示せず)を介して連通接続してある。
【０００９】
そして、前記ケーシング3と前記ショット回収ケース機構4と前記台車5とで成る移動式ショットブラスト本体7には、図２に示すように、これを水平面に対して所要角度傾斜させて一箇所で懸吊するフックを係合させる係止部材8が２個設けてあって(図１参照)、前記フックに１個の前記係止部材8を係止させて前記移動式ショットブラスト本体7を懸吊すると、前記ショット貯蔵タンク6内のショットが前記ショット投射装置1のショット供給口に向かって滑降するように前記ショット貯蔵タンクの少なくとも一つ以上の壁面が水平面に対して角度８０度以上傾斜する範囲内で、前記移動式ショットブラスト本体7は傾斜するようになっている。
【００１０】
なお、図２に示すように、フックを係合させる係止部材8を壁面に対して前後方向へ２個設けて、壁面の形態に応じてフックを係合させる係止部材8を選定することにより、前記移動式ショットブラスト本体7を壁面に対して適確に当接することができる。
【００１１】
このように構成したものは、フックに係止部材8を係止させて移動式ショットブラスト本体7を懸吊することにより、ショット貯蔵タンク6内のショットがショット投射装置1のショット供給口に向かって滑降するようにショット貯蔵タンク6の少なくとも一つ以上の壁面が水平面に対して角度８０度以上傾斜する範囲内で移動式ショットブラスト本体7を傾斜させた状態にして、当該移動式ショットブラスト本体7を水平方向へ移動させる。これらより、垂直状の研掃面を可及的に低い箇所まで研掃することが可能になる。
【００１２】
なお、上述の最良の形態の移動式ショットブラスト設備では、移動式ショットブラスト本体7は、ロープによって懸吊するようにしてあるが、例えば、図３に示すように、移動式ショットブラスト本体7を、最良の形態の場合と同様に、水平面に対して所要角度傾斜させた状態で、床面上を走行可能な走行台車２１に搭載して移動させるように構成しても、同様の作用効果が得られるのはもちろんである。
【図面の簡単な説明】
【００１３】
【図１】本発明の最良の形態を示す一部切り欠き断面側面図である。
【図２】図１の平面図である。
【図３】本発明の実施例を示す側面図である。
【符号の説明】
【００１４】
1         
ショット投射装置
2         
インペラ2
3         
ケーシング
4         
ショット回収ケース機構
5         
台車
6         
ショット貯蔵タンク
7         
移動式ショットブラスト本体
【図１】
2006116659.tif 000003
【図２】
2006116659.tif 000004
【図３】
2006116659.tif 000005